(57)【要約】【課題】トナーカートリッジをドラムカートリッジに装着するときに、配線とトナーカートリッジが接触しないドラムカートリッジを提供する。【解決手段】このドラムカートリッジ１は、トナーカートリッジ２が装着可能なフレーム１２と、感光体ドラム１１と、本体用コネクタ１０２と、トナー用コネクタ１０３と、ハーネス１０５とを備える。フレーム１２は、第１方向に間隔を隔てて位置する第１側板１２１および第２側板１２２と、第１側板１２１および第２側板１２２の第２方向一端部を接続する第１接続板１２３とを有する。本体用コネクタ１０２は第１接続板１２３の外表面、トナー用コネクタ１０３は第１側板１２１のハーネス１０５は第１側板１２１の内表面に位置する。第１側板１２１は、ハーネス１０５が収容され、第２方向に延びるハーネス収容空間を有する。【選択図】図３
2020052339.tif 000002
【特許請求の範囲】
【請求項１】
画像形成装置に装着可能なドラムカートリッジであって、
第１方向に延びるドラム軸について回転可能な感光体ドラムと、
トナーメモリを有するトナーカートリッジを装着可能なフレームであって、
前記第１方向における前記感光体ドラムの一端部に位置する第１側板と、
前記第１方向における前記感光体ドラムに他端部に位置する第２側板であって、前記第１方向において前記第１側板と間隔を隔てて位置する第２側板と、
前記第１方向と交差する第２方向における前記第１側板の一端部と前記第２方向における前記第２側板の一端部を接続する第１接続板と、
を有するフレームと、
前記画像形成装置に前記ドラムカートリッジが装着された状態において、前記画像形成装置と電気的に接続する本体用コネクタであって、前記第１接続板の外表面に位置する本体用コネクタと、
前記フレームに前記トナーカートリッジが装着された状態において、前記トナーメモリと電気的に接続するトナー用コネクタであって、前記第１側板の表面に位置するトナー用コネクタと、
前記本体用コネクタと前記トナー用コネクタを電気的に接続するハーネスであって、前記第１側板の内表面に位置するハーネスであり、前記第２方向に延びるハーネスと、を備え、
前記第１側板は、前記ハーネスが収容されるハーネス収容空間であって、前記第２方向に延びるハーネス収容空間を有することを特徴とするドラムカートリッジ。
【請求項２】
請求項１に記載のドラムカートリッジであって、
前記感光体ドラムは、
前記第１方向に延びる第１ドラム軸について回転可能な第１感光体ドラムと、
前記第１方向に延びる第２ドラム軸について回転可能な第２感光体ドラムであって、前記第２方向において、前記第１感光体ドラムと間隔を隔てて位置する第２感光体ドラムと、を有していることを特徴とするドラムカートリッジ。
【請求項３】
請求項１または請求項２に記載のドラムカートリッジであって、
前記第２方向に前記画像形成装置に装着可能であることを特徴とするドラムカートリッジ。
【請求項４】
請求項１ないし請求項３のいずれか一項に記載のドラムカートリッジであって、
前記フレームは、
前記第２方向における前記第１側板の他端部と前記第２方向における前記第２側板の他端部を接続する第２接続板であって、前記第２方向において前記第１接続板と間隔を空けて位置する第２接続板と、を備えることを特徴とするドラムカートリッジ。
【請求項５】
請求項４に記載のドラムカートリッジであって、
前記感光体ドラムは、
前記第２方向において、前記第１接続板と前記第２接続板の間に位置することを特徴とするドラムカートリッジ。
【請求項６】
請求項４または請求項５に記載のドラムカートリッジであって、
前記トナーカートリッジが前記フレームに装着された状態において、前記トナーカートリッジは、
前記第２方向において、前記第１接続板と前記第２接続板の間に位置することを特徴とするドラムカートリッジ。
【請求項７】
請求項１ないし請求項６のいずれか一項に記載のドラムカートリッジであって、
前記第１接続板は、
前記第１方向における一端部において、前記第２方向における前記第１側板の前記一端部と接続され、
前記第１方向における他端部において、前記第２方向における前記第２側板の前記一端部と接続され、
前記本体用コネクタは、
前記第１方向における前記第１接続板の前記他端部の外表面に位置することを特徴とするドラムカートリッジ。
【請求項８】
請求項１ないし請求項７のいずれか一項に記載のドラムカートリッジであって、
前記第１側板は、
前記第１方向において、内表面に設けられた溝であって、前記ハーネス収容空間を含む溝を有することを特徴とするドラムカートリッジ。
【請求項９】
請求項８に記載のドラムカートリッジであって、
前記溝は、
前記第１方向において、前記第１側板の前記内表面から前記第１側板の外表面に向けて凹むことを特徴とするドラムカートリッジ。
【請求項１０】
請求項１ないし請求項９のいずれか一項に記載のドラムカートリッジであって、
前記第１側板は、前記第１方向および前記第２方向に対して交差する第３方向に延びる隔離板を有し、
前記隔離板は、前記第１方向において、前記ハーネスと前記第２側板との間に位置することを特徴とするドラムカートリッジ。
【請求項１１】
請求項９に記載のドラムカートリッジであって、
前記第１側板は、前記溝の縁部から、前記第１方向および前記第２方向に対して交差する第３方向に延びる隔離板を有し、
前記隔離板は、前記第１方向において、前記ハーネスと前記第２側板との間に位置することを特徴とするドラムカートリッジ。
【請求項１２】
請求項１１に記載のドラムカートリッジであって、
前記トナー用コネクタは、前記第１方向および前記第２方向と交差する第３方向において、前記第１側板の一端部に位置し、
前記感光体ドラムは、前記第３方向において、前記ドラムカートリッジの他端部に位置し、
前記隔離板は、前記第３方向において、前記第１側板の一端部から前記第１側板の他端部に向けて延びることを特徴とするドラムカートリッジ。
【請求項１３】
請求項１１または請求項１２に記載のドラムカートリッジであって、
前記第３方向における前記溝の長さは、前記第３方向における前記隔離板の長さよりも長いことを特徴とするドラムカートリッジ。
【請求項１４】
請求項１０ないし請求項１３のいずれか一項に記載のドラムカートリッジであって、
前記トナーカートリッジが前記フレームに装着された状態において、前記隔離板は、前記第１方向において、前記トナーカートリッジと前記ハーネスの間に位置することを特徴とするドラムカートリッジ。
【請求項１５】
請求項１０ないし請求項１４のいずれか一項に記載のドラムカートリッジであって、
前記第１側板は、
前記トナーカートリッジが前記フレームに装着されるときに、前記トナーカートリッジをガイドするガイド面であって、前記第３方向において前記隔離板に対して前記感光体ドラムの反対側に位置するガイド面であり、前記第３方向において、前記第１側板の前記一端部から前記第１側板の前記他端部に向けて、前記第２側板に近づくように傾斜するガイド面を有することを特徴とするドラムカートリッジ。
【請求項１６】
請求項１ないし請求項１５のいずれか一項に記載のドラムカートリッジであって、
前記トナーカートリッジは、
第１トナーメモリを有する第１トナーカートリッジと、
第２トナーメモリを有する第２トナーカートリッジと、を有し、
前記フレームは、前記第１トナーカートリッジおよび前記第２トナーカートリッジを装着可能であり、
前記トナー用コネクタは、
前記第１トナーカートリッジの前記第１トナーメモリと電気的に接続可能な第１トナー用コネクタと、
前記第２トナーカートリッジの前記第２トナーメモリと電気的に接続可能な第２トナー用コネクタと、を有し、
前記ハーネスは、
前記本体用コネクタと前記第１トナー用コネクタとを電気的に接続する本体側ハーネスと、
前記本体用コネクタと前記第２トナー用コネクタとを電気的に接続するトナー側ハーネスと、を有することを特徴とするドラムカートリッジ。
【請求項１７】
請求項１６に記載のドラムカートリッジであって、
前記本体側ハーネスの少なくとも一部と前記トナー側ハーネスの少なくとも一部を覆う第１カバーを備え、
前記本体側ハーネスおよび前記トナー側ハーネスは、前記第１カバーに覆われた状態で、前記ハーネス収容空間に収容されることを特徴とするドラムカートリッジ。
【請求項１８】
請求項１７に記載のドラムカートリッジであって、
前記トナーカートリッジは、
第３トナーメモリを有する第３トナーカートリッジと、
第４トナーメモリを有する第４トナーカートリッジと、を有し、
前記フレームは、第３トナーカートリッジおよび前記第４トナーカートリッジを装着可能であり、
前記トナー用コネクタは、
前記第３トナーカートリッジの前記第３トナーメモリと電気的に接続可能な第３トナー用コネクタと、
前記第４トナーカートリッジの前記第４トナーメモリと電気的に接続可能な第４トナー用コネクタと、を有し、
前記ハーネスは、
前記本体用コネクタと前記第３トナー用コネクタとを電気的に接続する第３ハーネスと、
前記本体用コネクタと前記第４トナー用コネクタとを電気的に接続する第４ハーネスと、を有するドラムカートリッジであって、
前記第３ハーネスの少なくとも一部と前記第４ハーネスの少なくとも一部を覆う第２カバーを備え、
前記第３ハーネスおよび前記第４ハーネスは、前記第２カバーに覆われた状態で、前記ハーネス収容空間に収容されることを特徴とするドラムカートリッジ。
【請求項１９】
請求項１ないし請求項１８のいずれか一項に記載のドラムカートリッジであって、
前記本体用コネクタと前記トナー用コネクタとの間で電気的に情報を中継する中継基板
をさらに備え、
前記ハーネスは、前記トナー用コネクタと前記中継基板との間において、電気的な接続を行うことを特徴とするドラムカートリッジ。
【請求項２０】
請求項１ないし請求項１９のいずれか一項に記載のドラムカートリッジと、
前記ドラムカートリッジが装着される本体ケーシングと、
制御部と、
を備えた画像形成装置であって、
前記トナーカートリッジが装着された前記ドラムカートリッジが、前記本体ケーシングに装着された状態において、前記制御部は、前記トナーメモリに記憶された情報を、前記トナー用コネクタおよび前記本体用コネクタを介して読み出し可能であることを特徴とする画像形成装置。
【発明の詳細な説明】
【技術分野】
【０００１】
本開示は、ドラムカートリッジおよび画像形成装置に関する。
【背景技術】
【０００２】
従来、レーザプリンタ、ＬＥＤプリンタ等の電子写真方式の画像形成装置が知られている。画像形成装置は、ドラムカートリッジを有する。ドラムカートリッジは、複数の感光体ドラムを有する。複数のトナーカートリッジは、ドラムカートリッジに対して着脱可能である。ドラムカートリッジにトナーカートリッジが装着されると、トナーカートリッジの現像ローラと、ドラムカートリッジの感光体ドラムとが接触する。
【０００３】
ドラムカートリッジを有する画像形成装置については、例えば、特許文献１に記載されている。
【先行技術文献】
【特許文献】
【０００４】
【特許文献１】特開２０１０−１２８３３６号公報
【発明の概要】
【発明が解決しようとする課題】
【０００５】
従来、トナーメモリを有するトナーカートリッジが知られている。トナーメモリは、トナーカートリッジに関する種々の情報を記憶している。ただし、複数のトナーカートリッジを装着可能な画像形成装置は、トナーカートリッジの数と比例して、トナーカートリッジに関する情報が多くなる。したがって、トナーカートリッジの数と比例して、トナーカートリッジと画像形成装置との間で伝達すべき情報が多くなる。
【０００６】
また、近年では、トナーカートリッジが装着されたドラムカートリッジが画像形成装置に装着された状態において、トナーメモリに記憶された情報を、ドラムカートリッジを介して、画像形成装置に伝達する場合がある。
【０００７】
この場合、トナーメモリに記憶された情報を、ドラムカートリッジを介して、画像形成装置に伝達するための配線の配置を工夫する必要がある。詳しくは、トナーカートリッジをドラムカートリッジに装着するときに、配線とトナーカートリッジが接触しないように、配線の配置を工夫する必要がある。
【０００８】
本開示の目的は、トナーカートリッジをドラムカートリッジに装着するときに、配線とトナーカートリッジが接触しないドラムカートリッジを提供することである。
【課題を解決するための手段】
【０００９】
本願の第１の開示は、画像形成装置に装着可能なドラムカートリッジであって、第１方向に延びるドラム軸について回転可能な感光体ドラムと、トナーメモリを有するトナーカートリッジを装着可能なフレームであって、前記第１方向における前記感光体ドラムの一端部に位置する第１側板と、前記第１方向における前記感光体ドラムに他端部に位置する第２側板であって、前記第１方向において前記第１側板と間隔を隔てて位置する第２側板と、前記第１方向と交差する第２方向における前記第１側板の一端部と前記第２方向における前記第２側板の一端部を接続する第１接続板と、を有するフレームと、前記画像形成装置に前記ドラムカートリッジが装着された状態において、前記画像形成装置と電気的に接続する本体用コネクタであって、前記第１接続板の外表面に位置する本体用コネクタと、前記フレームに前記トナーカートリッジが装着された状態において、前記トナーメモリと電気的に接続するトナー用コネクタであって、前記第１側板の表面に位置するトナー用コネクタと、前記本体用コネクタと前記トナー用コネクタを電気的に接続するハーネスであって、前記第１側板の内表面に位置するハーネスであり、前記第２方向に延びるハーネスと、を備え、前記第１側板は、前記ハーネスが収容されるハーネス収容空間であって、前記第２方向に延びるハーネス収容空間を有することを特徴とする。
【００１０】
本願の第２の開示は、本願の第１の開示に記載のドラムカートリッジであって、前記感光体ドラムは、前記第１方向に延びる第１ドラム軸について回転可能な第１感光体ドラムと、前記第１方向に延びる第２ドラム軸について回転可能な第２感光体ドラムであって、前記第２方向において、前記第１感光体ドラムと間隔を隔てて位置する第２感光体ドラムと、を有していることを特徴とする。
【００１１】
本願の第３の開示は、本願の第１の開示または第２の開示に記載のドラムカートリッジであって、前記第２方向に前記画像形成装置に装着可能であることを特徴とする。
【００１２】
本願の第４の開示は、本願の第１の開示ないし第３の開示のいずれかに記載のドラムカートリッジであって、前記フレームは、前記第２方向における前記第１側板の他端部と前記第２方向における前記第２側板の他端部を接続する第２接続板であって、前記第２方向において前記第１接続板と間隔を空けて位置する第２接続板と、を備えることを特徴とする。
【００１３】
本願の第５の開示は、本願の第４の開示に記載のドラムカートリッジであって、前記感光体ドラムは、前記第２方向において、前記第１接続板と前記第２接続板の間に位置することを特徴とする。
【００１４】
本願の第６の開示は、本願の第４の開示または第５の開示に記載のドラムカートリッジであって、前記トナーカートリッジが前記フレームに装着された状態において、前記トナーカートリッジは、前記第２方向において、前記第１接続板と前記第２接続板の間に位置することを特徴とする。
【００１５】
本願の第７の開示は、本願の第１の開示ないし第６の開示のいずれかに記載のドラムカートリッジであって、前記第１接続板は、前記第１方向における一端部において、前記第２方向における前記第１側板の前記一端部と接続され、前記第１方向における他端部において、前記第２方向における前記第２側板の前記一端部と接続され、前記本体用コネクタは、前記第１方向における前記第１接続板の前記他端部の外表面に位置することを特徴とする。
【００１６】
本願の第８の開示は、本願の第１の開示ないし第７の開示のいずれかに記載のドラムカートリッジであって、前記第１側板は、前記第１方向において、内表面に設けられた溝であって、前記ハーネス収容空間を含む溝を有することを特徴とする。
【００１７】
本願の第９の開示は、本願の第８の開示に記載のドラムカートリッジであって、前記溝は、前記第１方向において、前記第１側板の前記内表面から前記第１側板の外表面に向けて凹むことを特徴とする。
【００１８】
本願の第１０の開示は、本願の第１の開示ないし第９の開示のいずれかに記載のドラムカートリッジであって、前記第１側板は、前記第１方向および前記第２方向に対して交差する第３方向に延びる隔離板を有し、前記隔離板は、前記第１方向において、前記ハーネスと前記第２側板との間に位置することを特徴とする。
【００１９】
本願の第１１の開示は、本願の第９の開示に記載のドラムカートリッジであって、前記第１側板は、前記溝の縁部から、前記第１方向および前記第２方向に対して交差する第３方向に延びる隔離板を有し、前記隔離板は、前記第１方向において、前記ハーネスと前記第２側板との間に位置することを特徴とする。
【００２０】
本願の第１２の開示は、本願の第１１の開示に記載のドラムカートリッジであって、前記トナー用コネクタは、前記第１方向および前記第２方向と交差する第３方向において、前記第１側板の一端部に位置し、前記感光体ドラムは、前記第３方向において、前記ドラムカートリッジの他端部に位置し、前記隔離板は、前記第３方向において、前記第１側板の一端部から前記第１側板の他端部に向けて延びることを特徴とする。
【００２１】
本願の第１３の開示は、本願の第１１の開示または第１２の開示に記載のドラムカートリッジであって、前記第３方向における前記溝の長さは、前記第３方向における前記隔離板の長さよりも長いことを特徴とする。
【００２２】
本願の第１４の開示は、本願の第１０の開示ないし第１３の開示のいずれかに記載のドラムカートリッジであって、前記トナーカートリッジが前記フレームに装着された状態において、前記隔離板は、前記第１方向において、前記トナーカートリッジと前記ハーネスの間に位置することを特徴とする。
【００２３】
本願の第１５の開示は、本願の第１０の開示ないし第１４の開示のいずれかに記載のドラムカートリッジであって、前記第１側板は、前記トナーカートリッジが前記フレームに装着されるときに、前記トナーカートリッジをガイドするガイド面であって、前記第３方向において前記隔離板に対して前記感光体ドラムの反対側に位置するガイド面であり、前記第３方向において、前記第１側板の前記一端部から前記第１側板の前記他端部に向けて、前記第２側板に近づくように傾斜するガイド面を有することを特徴とする。
【００２４】
本願の第１６の開示は、本願の第１の開示ないし第１５の開示のいずれかに記載のドラムカートリッジであって、前記トナーカートリッジは、第１トナーメモリを有する第１トナーカートリッジと、第２トナーメモリを有する第２トナーカートリッジと、を有し、前記フレームは、前記第１トナーカートリッジおよび前記第２トナーカートリッジを装着可能であり、前記トナー用コネクタは、前記第１トナーカートリッジの前記第１トナーメモリと電気的に接続可能な第１トナー用コネクタと、前記第２トナーカートリッジの前記第２トナーメモリと電気的に接続可能な第２トナー用コネクタと、を有し、前記ハーネスは、前記本体用コネクタと前記第１トナー用コネクタとを電気的に接続する本体側ハーネスと、前記本体用コネクタと前記第２トナー用コネクタとを電気的に接続するトナー側ハーネスと、を有することを特徴とする。
【００２５】
本願の第１７の開示は、本願の第１６の開示に記載のドラムカートリッジであって、前記本体側ハーネスの少なくとも一部と前記トナー側ハーネスの少なくとも一部を覆う第１カバーを備え、前記本体側ハーネスおよび前記トナー側ハーネスは、前記第１カバーに覆われた状態で、前記ハーネス収容空間に収容されることを特徴とする。
【００２６】
本願の第１８の開示は、本願の第１７に記載のドラムカートリッジであって、前記トナーカートリッジは、第３トナーメモリを有する第３トナーカートリッジと、第４トナーメモリを有する第４トナーカートリッジと、を有し、前記フレームは、第３トナーカートリッジおよび前記第４トナーカートリッジを装着可能であり、前記トナー用コネクタは、前記第３トナーカートリッジの前記第３トナーメモリと電気的に接続可能な第３トナー用コネクタと、前記第４トナーカートリッジの前記第４トナーメモリと電気的に接続可能な第４トナー用コネクタと、を有し、前記ハーネスは、前記本体用コネクタと前記第３トナー用コネクタとを電気的に接続する第３ハーネスと、前記本体用コネクタと前記第４トナー用コネクタとを電気的に接続する第４ハーネスと、を有するドラムカートリッジであって、前記第３ハーネスの少なくとも一部と前記第４ハーネスの少なくとも一部を覆う第２カバーを備え、前記第３ハーネスおよび前記第４ハーネスは、前記第２カバーに覆われた状態で、前記ハーネス収容空間に収容されることを特徴とする。
【００２７】
本願の第１９の開示は、本願の第１の開示ないし第１８の開示に記載のドラムカートリッジであって、前記本体用コネクタと前記トナー用コネクタとの間で電気的に情報を中継する中継基板をさらに備え、前記ハーネスは、前記トナー用コネクタと前記中継基板との間において、電気的な接続を行うことを特徴とする。
【００２８】
本願の第２０の開示は、画像形成装置であって、本願の第１の開示ないし第１９の開示に記載のドラムカートリッジと、前記ドラムカートリッジが装着される本体ケーシングと、制御部と、を備えた画像形成装置であって、前記トナーカートリッジが装着された前記ドラムカートリッジが、前記本体ケーシングに装着された状態において、前記制御部は、前記トナーメモリに記憶された情報を、前記トナー用コネクタおよび前記本体用コネクタを介して読み出し可能であることを特徴とする。
【発明の効果】
【００２９】
本開示によれば、トナーカートリッジをドラムカートリッジに装着するときに、配線とトナーカートリッジが接触しない。
【００３０】
本願の第１０の開示ないし第１４の開示によれば、隔離板によって、ハーネス収容空間とハーネス収容空間外の空間とが仕切られる。これにより、ハーネス収容空間内に収容されたハーネスが、ハーネス収容空間の外の部材と干渉するのが、より抑制される。
【図面の簡単な説明】
【００３１】
【図１】画像形成装置の概念図である。
【図２】ドラムカートリッジの斜視図である。
【図３】ドラムカートリッジの斜視図である。
【図４】ドラムカートリッジの平面図である。
【図５】回路部の斜視図である。
【図６】制御部、ドラム回路基板、およびトナー回路基板の間の電気的接続を示したブロック図である。
【図７】第１側板、トナー用コネクタ、およびトナー側ハーネスの平面図である。
【図８】トナーカートリッジが装着されたドラムカートリッジの部分断面図である。
【発明を実施するための形態】
【００３２】
以下、本開示の実施形態について、図面を参照しつつ説明する。
【００３３】
なお、以下の説明においては、感光体ドラムの回転軸が延びる方向を「第１方向」と称する。また、複数の感光体ドラムが並ぶ方向を「第２方向」と称する。第１方向と第２方向とは、互いに交差（好ましくは直交）する。また第１方向および第２方向に対して交差（好ましくは直交）する方向を「第３方向」と称する。また、以下の説明においては、各部材において、各方向の一方側の端部を「一端部」、各方向の他方側の端部を「他端部」と称する。
【００３４】
＜１．第１実施形態＞
＜１−１．画像形成装置の構成について＞
図１は、画像形成装置９の概念図である。図２は、トナーカートリッジ２が装着されたドラムカートリッジ１の斜視図である。この画像形成装置９は、電子写真方式のプリンタである。画像形成装置９の例としては、レーザプリンタまたはＬＥＤプリンタが挙げられる。図１に示すように、画像形成装置９は、ドラムカートリッジ１、複数のトナーカートリッジ２、および本体部３を有する。
【００３５】
ドラムカートリッジ１は、回路部１００を備える。回路部１００は、ドラム回路基板１０、ドラムメモリ１０１、本体用コネクタ１０２、複数のトナー用コネクタ１０３、本体側ハーネス１０４、およびトナー側ハーネス１０５を有する。
【００３６】
ドラムメモリ１０１は、情報の読み出しおよび書き込みが可能な記憶媒体である。本体用コネクタ１０２は、本体部３にドラムカートリッジ１が装着された状態において、本体部３と電気的に接続される。複数のトナー用コネクタ１０３は、それぞれ、ドラムカートリッジ１にトナーカートリッジ２が装着された状態において、後述するトナー回路基板２０と電気的に接続される。本実施形態では、ドラムカートリッジ１に装着されるトナーカートリッジ２の数が４つであるため、トナー用コネクタ１０３の数も４つである。
【００３７】
本体側ハーネス１０４およびトナー側ハーネス１０５は、本体用コネクタ１０２とトナー用コネクタ１０３とを電気的に接続するワイヤーハーネスである。具体的には、本体側ハーネス１０４は、ドラム回路基板１０と本体用コネクタ１０２とを電気的に接続する。トナー側ハーネス１０５は、ドラム回路基板１０と複数のトナー用コネクタ１０３のそれぞれとを電気的に接続する。
【００３８】
複数のトナーカートリッジ２は、ドラムカートリッジ１に、個別に装着可能である。また、複数のトナーカートリッジ２が装着されたドラムカートリッジ１は、本体部３の本体ケーシング３１に装着可能である。
【００３９】
複数のトナーカートリッジ２は、互いに異なる色（例えば、シアン、マゼンタ、イエロー、およびブラックの各色）のトナー（現像剤）を収容する。画像形成装置９は、複数のトナーカートリッジ２から供給されるトナーにより、印刷用紙の記録面に画像を形成する。本実施形態のドラムカートリッジ１に装着されるトナーカートリッジ２の数は、４つである。ただし、ドラムカートリッジ１に装着されるトナーカートリッジ２の数は、１〜３つであってもよく、５つ以上であってもよい。
【００４０】
複数のトナーカートリッジ２は、それぞれ、トナー回路基板２０と、トナーメモリ２０１と、トナー側コネクタ２０３とを有する。トナーメモリ２０１は、情報の読み出しおよび書き込みが可能な記憶媒体である。トナー側コネクタ２０３は、ドラムカートリッジ１にトナーカートリッジ２が装着された状態において、ドラムカートリッジ１のトナー用コネクタ１０３と接触し、電気的に接続される。
【００４１】
このような構成により、ドラムカートリッジ１にトナーカートリッジ２が装着されると、各トナーカートリッジ２のトナー回路基板２０と、ドラム回路基板１０とが、電気的に接続される。また、複数のトナーカートリッジ２が装着されたドラムカートリッジ１が画像形成装置９の本体ケーシング３１に装着されると、本体部３の後述する制御部３０とドラム回路基板１０とが、電気的に接続される。これにより、各トナーカートリッジ２のトナー回路基板２０と、制御部３０とが、ドラム回路基板１０を介して電気的に接続される。すなわち、ドラム回路基板１０は、各トナーカートリッジ２のトナー回路基板２０と、本体部３の制御部３０とを中継する中継基板である。
【００４２】
＜１−２．ドラムカートリッジの構成について＞
次に、ドラムカートリッジ１の構成について説明する。図３は、ドラムカートリッジ１の斜視図である。図４は、ドラムカートリッジ１の平面図である。図５は、回路部１００の斜視図である。
【００４３】
図１ないし図４に示すように、ドラムカートリッジ１は、複数の感光体ドラム１１、フレーム１２、および回路部１００を有する。ドラムカートリッジ１は、画像形成装置９に装着可能である。ドラムカートリッジ１は、第２方向において、画像形成装置９に装着される。すなわち、第２方向は、画像形成装置９の本体ケーシング３１へのドラムカートリッジ１の装着方向である。
【００４４】
感光体ドラム１１は、トナーカートリッジ２から供給されるトナーを、印刷用紙に転写するための部材である。複数の感光体ドラム１１は、第２方向に間隔をあけて配置される。また、感光体ドラム１１は、第３方向においてドラムカートリッジ１の他端部に位置する。各感光体ドラム１１は、第１方向に延びる円筒状の外周面を有する。感光体ドラム１１の外周面は、感光材料に被覆されている。
【００４５】
本実施形態では、感光体ドラム１１の数は、ドラムカートリッジ１に装着されるトナーカートリッジ２の数と同じである。すなわち、感光体ドラム１１の数は、４つである。以下では、４つの感光体ドラム１１を、第１感光体ドラム１１Ａ、第２感光体ドラム１１Ｂ、第３感光体ドラム１１Ｃ、および第４感光体ドラム１１Ｄと称する。第１感光体ドラム１１Ａ、第２感光体ドラム１１Ｂ、第３感光体ドラム１１Ｃ、および第４感光体ドラム１１Ｄは、第２方向において、互いに間隔を隔てて位置する。
【００４６】
第１感光体ドラム１１Ａは、第１方向に延びる第１ドラム軸１１０Ａについて回転可能である。第２感光体ドラム１１Ｂは、第１方向に延びる第２ドラム軸１１０Ｂについて回転可能である。第３感光体ドラム１１Ｃは、第１方向に延びる第３ドラム軸１１０Ｃについて回転可能である。第４感光体ドラム１１Ｄは、第１方向に延びる第４ドラム軸１１０Ｄについて回転可能である。
【００４７】
フレーム１２は、図２および図３に示すように、複数の感光体ドラム１１を保持する枠体である。フレーム１２は、第１側板１２１と、第２側板１２２と、第１接続板１２３と、第２接続板１２４とを有する。
【００４８】
第１側板１２１は、第１方向における感光体ドラム１１の一端部に位置する。第２側板１２２は、第１方向における感光体ドラム１１の他端部に位置する。第２側板１２２は、第１方向において第１側板１２１と間隔を隔てて位置する。
【００４９】
第１接続板１２３は、第２方向における第１側板１２１の一端部と、第２方向における第２側板１２２の一端部とを接続する。第２接続板１２４は、第２方向における第１側板１２１の他端部と、第２方向における第２側板１２２の他端部とを接続する。第２接続板１２４は、第２方向において第１接続板１２３と間隔を隔てて位置する。
【００５０】
また、フレーム１２は、複数のトナーカートリッジホルダ１２０を有する。複数のトナーカートリッジホルダ１２０は、第２方向に間隔を隔てて位置する。トナーカートリッジ２は、トナーカートリッジホルダ１２０に装着される。したがって、このフレーム１２には、複数のトナーカートリッジ２が装着可能である。トナーカートリッジホルダ１２０にトナーカートリッジ２が装着されると、感光体ドラム１１の外周面と、トナーカートリッジ２の後述する現像ローラ２２の外周面とが、接触する。
【００５１】
フレーム１２に複数のトナーカートリッジ２が装着されている状態において、各トナーカートリッジ２は、第１方向において、第１側板１２１の内表面と第２側板１２２の内表面の間に位置する。なお、第１側板１２１は、第３方向におけるフレーム１２の一端部から第３方向におけるフレーム１２の他端部に向かって凹むホルダ配置部４１を有する。各トナーカートリッジ２の後述するホルダ２５は、ホルダ配置部４１内に位置する。このため、ホルダ２５の第１方向の一端部の外表面は、第１側板１２１に覆われていない。
【００５２】
また、フレーム１２に複数のトナーカートリッジ２が装着されている状態において、各トナーカートリッジ２は、第２方向において、第１接続板１２３の内表面と第２接続板１２４の内表面との間に位置する。
【００５３】
ドラムカートリッジ１は、図１および図５に示すように、回路部１００を備える。回路部１００は、ドラム回路基板１０、ドラムメモリ１０１、本体用コネクタ１０２、複数のトナー用コネクタ１０３、本体側ハーネス１０４、およびトナー側ハーネス１０５を有する。
【００５４】
ドラム回路基板１０は、本体用コネクタ１０２および複数のトナー用コネクタ１０３と電気的に接続された回路基板である。ドラム回路基板１０は、第１接続板１２３の一端部の内表面に位置する。ドラム回路基板１０は、本体用コネクタ１０２とトナー用コネクタ１０３との間で、電気的に情報を中継する中継基板である。図１および図５に示すように、ドラム回路基板１０と本体用コネクタ１０２とは、本体側ハーネス１０４を介して、電気的に接続される。また、ドラム回路基板１０と各トナー用コネクタ１０３とは、トナー側ハーネス１０５を介して、電気的に接続される。本体側ハーネス１０４およびトナー側ハーネス１０５には、例えば、複数の導線を含むワイヤーハーネスが用いられる。
【００５５】
ドラムメモリ１０１は、ドラム回路基板１０上に位置する。ドラムメモリ１０１は、ドラムカートリッジ１に関する種々の情報を記憶する。例えば、ドラムメモリ１０１は、ドラムカートリッジ１の識別のための情報およびドラムカートリッジ１の特性を示す情報の、少なくとも１つを記憶する。ドラムカートリッジ１の識別のための情報は、例えば、ドラムカートリッジ１の製造シリアル番号、純正品であることを示す識別コード、の少なくとも１つである。ドラムカートリッジ１の特性を示す情報は、例えば、ドラムカートリッジ１の適合機種、ドラムカートリッジ１の使用、感光体ドラム１１の寿命、感光体ドラム１１の帯電特性、新品であるかどうかを示す情報、感光体ドラム１１の回転数、感光体ドラム１１の帯電時間、印刷枚数、エラー履歴、の少なくとも１つである。なお、ドラムメモリ１０１は、ドラム回路基板１０上に位置していなくてもよい。具体的には、ドラムメモリ１０１は、フレーム１２の表面に位置していてもよい。
【００５６】
ドラムメモリ１０１は、書き換え不能な情報を記憶する第１記憶領域と、書き換え可能な情報を記憶する第２記憶領域と、を有する。第１記憶領域は、例えば、上述した製造シリアル番号、識別コード、適合機種、仕様、感光体ドラム１１の寿命、感光体ドラム１１の帯電特性、の少なくとも１つを記憶可能である。第２記憶領域は、例えば、ドラムカートリッジ１の使用状況を記憶可能である。ドラムカートリッジ１の使用状況は、例えば、上述した新品であるかどうかを示す情報、感光体ドラム１１の回転数、感光体ドラム１１の帯電時間、印刷枚数、エラー履歴、の少なくとも１つである。
【００５７】
また、ドラムメモリ１０１は、トナーカートリッジ２に関する情報も記憶可能である。例えば、ドラムメモリ１０１は、ドラムカートリッジ１に装着されたトナーカートリッジ２の個体識別情報を記憶可能である。個体識別情報は、例えば、後述するトナーメモリ２０１から読み出されて、ドラム回路基板１０のドラムメモリ１０１に書き込まれる。このようにすれば、ドラムカートリッジ１に装着されたトナーカートリッジ２が、過去に装着されたものか、それとも初めて装着されたものかを、区別できる。ただし、ドラムメモリ１０１は、トナーカートリッジ２に関する情報を、記憶可能でなくてもよい。
【００５８】
また、ドラムメモリ１０１は、ドラムカートリッジ１に装着されたトナーカートリッジ２の使用履歴の情報を記憶可能である。トナーカートリッジ２の使用履歴の情報は、例えば、現像ローラ２２の回転数、トナーの使用量、トナーカートリッジ２に関するエラー履歴、の少なくとも１つである。このように、トナーカートリッジ２の使用履歴の情報をドラムメモリ１０１に記憶させておけば、不具合が生じたときに、複数のトナーカートリッジ２のトナーメモリ２０１を１つ１つ確認することなく、ドラムメモリ１０１を確認するだけで、不具合の解析を行うことができる。ただし、ドラムメモリ１０１は、ドラムカートリッジ１に装着されたトナーカートリッジ２の使用履歴の情報を、記憶可能でなくてもよい。
【００５９】
本体用コネクタ１０２は、画像形成装置９の本体ケーシング３１にドラムカートリッジ１が装着されたときに、本体部３の本体側コネクタ３０４と接触し、電気的に接続される。ここで、第１接続板１２３は、第２方向における第１側板１２１の一端部と接続する一端部と、第２方向における第２側板１２２の一端部と接続する他端部とを有する。本体用コネクタ１０２は、第１接続板１２３の他端部の外表面に位置する。
【００６０】
トナー用コネクタ１０３は、トナーカートリッジホルダ１２０にトナーカートリッジ２が装着されたときに、トナー側コネクタ２０３と電気的に接続される部分である。トナー用コネクタ１０３は、トナーカートリッジホルダ１２０毎に設けられる。各トナー用コネクタ１０３は、トナーカートリッジホルダ１２０の第１方向の一端部に位置する。また、各トナー用コネクタ１０３は、第３方向において、第１側板１２１の一端部に位置する。各トナー用コネクタ１０３は、例えば、フレーム１２の表面に固定される。ただし、トナー用コネクタ１０３は、フレーム１２に対して移動不能に固定されてもよいし、僅かに移動可能に保持されてもよい。
【００６１】
ここで、フレーム１２の第１接続板１２３は、第１ハンドル１２５を有する。また、第２接続板１２４は、第２ハンドル１２６を有する。第１ハンドル１２５および第２ハンドル１２６は、それぞれ、ドラムカートリッジ１を把持するための部位である。第１ハンドル１２５は、第１接続板１２３を貫通する貫通孔を有する。第２ハンドル１２６は、第２接続板１２４を貫通する貫通孔と、第２接続板１２４の一部が外側向かって凹む凹部とを有する。
【００６２】
本実施形態では、第１ハンドル１２５が、第１方向において、本体用コネクタ１０２とドラム回路基板１０との間に位置する。すなわち、第１ハンドル１２５が、本体用コネクタ１０２およびドラム回路基板１０と第３方向に重ならない。これにより、本体用コネクタ１０２およびドラム回路基板１０を配置可能な領域を、第３方向に大きく取ることができる。
【００６３】
＜１−３．トナーカートリッジの構成について＞
続いて、トナーカートリッジ２の構成について説明する。以下では、ドラムカートリッジ１に装着された状態におけるトナーカートリッジ２の構成を、上述した第１方向、第２方向および第３方向を用いて説明する。
【００６４】
図１および図２に示すように、トナーカートリッジ２は、ケーシング２１、現像ローラ２２、複数のギア、カップリング２３、ギアカバー、トナー回路基板２０、トナーメモリ２０１、およびトナー側コネクタ２０３を有する。
【００６５】
ケーシング２１は、トナーを収容可能なトナー収容室を有する。ケーシング２１は、開口を有する。
【００６６】
現像ローラ２２は、第１方向に延びる回転軸について回転可能なローラである。現像ローラ２２は、ケーシング２１の開口に位置する。すなわち、現像ローラ２２は、第３方向におけるケーシング２１の他端部に位置する。トナーカートリッジ２がドラムカートリッジ１に装着されたときに、現像ローラ２２の外周面が、感光体ドラム１１の外周面に接触する。
【００６７】
トナーは、トナー収容室から、現像ローラ２２を介して、感光体ドラム１１の外周面に供給される。その際、現像ローラ２２の外周面に担持されたトナーは、感光体ドラム１１の外周面に形成された静電潜像に応じて、現像ローラ２２から感光体ドラム１１へ移動する。その結果、感光体ドラム１１の外周面において、静電潜像が可視像化される。
【００６８】
複数のギア、カップリング２３およびギアカバーは、ケーシング２１の第１方向の他端部の外表面に位置する。ギアカバーは、ケーシング２１の第１方向の他端部の外表面に、固定される。ギアカバー２１は、例えば、ケーシング２１にねじ止めで固定される。複数のギアの少なくとも一部は、ケーシング２１の第１方向の他端部の外表面とギアカバーとの間に位置する。カップリング２３は、ギアカバーから露出する。トナーカートリッジ２が装着されたドラムカートリッジ１が画像形成装置９に装着された状態において、画像形成装置９の駆動シャフトがカップリング２３に接続される。そして、駆動シャフトの回転が、カップリング２３および複数のギアを介して、現像ローラ２２に伝達される。
【００６９】
トナー回路基板２０、トナーメモリ２０１およびトナー側コネクタ２０３は、ホルダ２５に保持される。ホルダ２５は、第１側板１２１のホルダ配置部４１内に位置する。また、ホルダ２５は、ケーシング２１およびギアカバーに対して、第２方向に移動可能であることが好ましい。トナー側コネクタ２０３は、ホルダ２５の第２方向の他端部の外表面に位置する。トナー回路基板２０、トナーメモリ２０１、トナー側コネクタ２０３およびホルダ２５は、ケーシング２１の第１方向の一端部の外表面に位置する。
【００７０】
また、トナーカートリッジ２は、記憶媒体であるトナーメモリ２０１を有する。トナーメモリ２０１は、トナー回路基板２０上に位置する。トナーメモリ２０１は、トナーカートリッジ２に関する種々の情報を記憶している。例えば、トナーメモリ２０１は、トナーカートリッジ２の識別のための情報およびトナーカートリッジ２の特性を示す情報の、少なくとも１つを記憶している。トナーカートリッジ２の識別のための情報は、例えば、トナーカートリッジ２の製造シリアル番号および純正品であることを示す識別コードの、少なくとも１つである。トナーカートリッジ２の特性を示す情報は、例えば、トナーカートリッジ２の適合機種、トナーカートリッジ２の仕様、トナーの容量、現像ローラ２２の寿命、新品であるかどうかを示す情報、現像ローラ２２の回転数、印刷枚数、エラー履歴、の少なくとも１つである。なお、トナーメモリ２０１は、トナー回路基板２０上に位置していなくても良い。具体的には、トナーメモリ２０１は、ケーシング２１上に位置していても良い。
【００７１】
＜１−４．本体部について＞
続いて、本体部３について、図１および図６を参照しつつ説明する。図６は、制御部３０、ドラム回路基板１０、およびトナー回路基板２０の間の電気的接続を示したブロック図である。図１に示すように、本体部３は、制御部３０と、本体ケーシング３１と、基板配置部３２と、電圧供給部３３とを有する。制御部３０は、本体ケーシング３１内に位置する。
【００７２】
制御部３０は、例えば、図６に示すように、メイン回路基板３０１と、ＣＰＵ等のプロセッサ３０２と、記憶媒体である本体メモリ３０３とを有する。制御部３０は、プログラムに従ってプロセッサ３０２が動作することにより、画像形成装置９における諸処理を実行する。
【００７３】
本体ケーシング３１は、基板配置部３２および電圧供給部３３を収容する筐体である。ドラムカートリッジ１は、本体ケーシング３１に装着される。
【００７４】
ドラムカートリッジ１が本体ケーシング３１に装着された状態において、制御部３０および駆動入力部３２１は、基板配置部３２内に位置する。基板配置部３２は、本体ケーシング３１にドラムカートリッジ１が装着された状態において、第２側板１２２の第１方向の他方側に位置し、第２側板１２２の外表面と第１方向に向かい合う。駆動入力部３２１は、本体ケーシング３１にドラムカートリッジ１が装着された状態において、各トナーカートリッジ２のカップリング２３に接続される駆動シャフトを有する。駆動シャフトは、制御部３０からの指令に従って回転することにより、カップリング２３へと駆動力を伝達する。
【００７５】
また、本体部３は、本体側コネクタ３０４と、本体側配線３０５とを有する。本体側コネクタ３０４は、本体ケーシング３１にドラムカートリッジ１が装着された状態において、ドラムカートリッジ１の本体用コネクタ１０２と接触し、電気的に接続される。本体側配線３０５は、本体側コネクタ３０４とメイン回路基板３０１とを電気的に接続する。
【００７６】
電圧供給部３３は、ドラムカートリッジ１の感光体ドラム１１および現像カートリッジ２の現像ローラ２２に、バイアス電圧を供給する。電圧供給部３３は、本体ケーシング３１にドラムカートリッジ１が装着された状態において、第１側板１２１の第１方向の一方側に位置し、第１側板１２１の外表面と第１方向に向かい合う。
【００７７】
＜１−５．ドラムカートリッジの回路部の配置について＞
続いて、ドラムカートリッジ１の回路部１００の配置について、図１および図５を参照しつつ説明する。
【００７８】
本体部３において、図１に示すように、本体側コネクタ３０４は、制御部３０と電気的に接続される。基板配置部３２は、第１方向における本体ケーシング３１の他端部に位置する。そのため、本体側コネクタ３０４が、第１方向におけるフレーム１２の他端部側に位置することが好ましい。
【００７９】
本体側コネクタ３０４と接続する本体用コネクタ１０２は、第１接続板１２３の第１方向の他端部の外表面に位置する。また、ドラム回路基板１０は、第１接続板１２３の第１方向の一端部の内表面に位置する。このため、ドラム回路基板１０と本体用コネクタ１０２とを接続する本体側ハーネス１０４は、第１接続板１２３の内表面に位置する。すなわち、本体側ハーネス１０４は、第１方向に延びる。
【００８０】
一方、トナー側コネクタ２０３と接続するトナー用コネクタ１０３は、第１側板１２１に位置する。このため、複数のトナー用コネクタ１０３とドラム回路基板１０とを接続するトナー側ハーネス１０５は、第１側板１２１の表面に位置する。すなわち、トナー側ハーネス１０５は、第２方向に延びる。
【００８１】
このように、本体用コネクタ１０２と、トナー用コネクタ１０３とは、第１方向および第２方向に離れている。中継基板であるドラム回路基板１０は、第１接続板１２３の第１方向の一端部の内表面に位置する。これにより、本体用コネクタ１０２とドラム回路基板１０とを繋ぐ本体側ハーネス１０４と、トナー用コネクタ１０３とドラム回路基板１０とを繋ぐトナー側ハーネス１０５とを、それぞれ、大きく曲げることなく配置できる。
【００８２】
＜１−６．画像形成装置における電気的接続について＞
続いて、画像形成装置９における制御部３０、ドラム回路基板１０、およびトナー回路基板２０の間の電気的接続について、図６を参照しつつ説明する。
【００８３】
以下では、ドラムカートリッジ１に装着される４つのトナーカートリッジ２を、第２方向の一端側から他端側へ向かって順に、第１トナーカートリッジ２Ａ、第２トナーカートリッジ２Ｂ、第３トナーカートリッジ２Ｃ、および第４トナーカートリッジ２Ｄと称する。
【００８４】
そして、第１トナーカートリッジ２Ａのトナー回路基板２０を第１トナー回路基板２０Ａと称し、第２トナーカートリッジ２Ｂのトナー回路基板２０を第２トナー回路基板２０Ｂと称し、第３トナーカートリッジ２Ｃのトナー回路基板２０を第３トナー回路基板２０Ｃと称し、第４トナーカートリッジ２Ｄのトナー回路基板２０を第４トナー回路基板２０Ｄと称する。
【００８５】
また、第１トナーカートリッジ２Ａのトナーメモリ２０１を第１トナーメモリ２０１Ａと称し、第２トナーカートリッジ２Ｂのトナーメモリ２０１を第２トナーメモリ２０１Ｂと称し、第３トナーカートリッジ２Ｃのトナーメモリ２０１を第３トナーメモリ２０１Ｃと称し、第４トナーカートリッジ２Ｄのトナーメモリ２０１を第４トナーメモリ２０１Ｄと称する。
【００８６】
また、第１トナーカートリッジ２Ａのトナー側コネクタ２０３を第１トナー側コネクタ２０３Ａと称し、第２トナーカートリッジ２Ｂのトナー側コネクタ２０３を第２トナー側コネクタ２０３と称し、第３トナーカートリッジ２Ｃのトナー側コネクタ２０３を第３トナー側コネクタ２０３と称し、第４トナーカートリッジ２Ｄのトナー側コネクタ２０３を第４トナー側コネクタ２０３と称する。
【００８７】
また、ドラムカートリッジ１の回路部１００の４つのトナー用コネクタ１０３は、第１トナー用コネクタ１０３Ａと、第２トナー用コネクタ１０３Ｂと、第３トナー用コネクタ１０３Ｃと、第４トナー用コネクタ１０３Ｄと、を有する。第１トナー用コネクタ１０３Ａは、第１トナーカートリッジ２Ａの第１トナーメモリ２０１Ａと電気的に接続可能である。第２トナー用コネクタ１０３Ｂは、第２トナーカートリッジ２Ｂの第２トナーメモリ２０１Ｂと電気的に接続可能である。第３トナー用コネクタ１０３Ｃは、第３トナーカートリッジ２Ｃの第３トナーメモリ２０１Ｃと電気的に接続可能である。第４トナー用コネクタ１０３Ｄは、第４トナーカートリッジ２Ｄの第４トナーメモリ２０１Ｄと電気的に接続可能である。
【００８８】
トナー側ハーネス１０５は、第１ハーネス１０５Ａ、第２ハーネス１０５Ｂ、第３ハーネス１０５Ｃ、および第４ハーネス１０５Ｄを有する。第１ハーネス１０５Ａは、第１トナー用コネクタ１０３Ａとドラム回路基板１０とを電気的に接続する。第２ハーネス１０５Ｂは、第２トナー用コネクタ１０３Ｂとドラム回路基板１０とを電気的に接続する。第３ハーネス１０５Ｃは、第３トナー用コネクタ１０３Ｃとドラム回路基板１０とを電気的に接続する。第４ハーネス１０５Ｄは、第４トナー用コネクタ１０３Ｄとドラム回路基板１０とを電気的に接続する。
【００８９】
このため、第１ハーネス１０５Ａ、ドラム回路基板１０および本体側ハーネス１０４は、第１トナー用コネクタ１０３Ａと本体用コネクタ１０２とを電気的に接続する。第２ハーネス１０５Ｂ、ドラム回路基板１０および本体側ハーネス１０４は、第２トナー用コネクタ１０３Ｂと本体用コネクタ１０２とを電気的に接続する。第３ハーネス１０５Ｃ、ドラム回路基板１０および本体側ハーネス１０４は、第３トナー用コネクタ１０３Ｃと本体用コネクタ１０２とを電気的に接続する。第４ハーネス１０５Ｄ、ドラム回路基板１０および本体側ハーネス１０４は、第４トナー用コネクタ１０３Ｄと本体用コネクタ１０２とを電気的に接続する。
【００９０】
図５に示すように、第１ハーネス１０５Ａの少なくとも一部と、第２ハーネス１０５Ｂの少なくとも一部とは、第１カバー１０６Ａによって覆われる。また、第３ハーネス１０５Ｃの少なくとも一部と、第４ハーネス１０５Ｄの少なくとも一部とは、第２カバー１０６Ｂによって覆われる。
【００９１】
＜１−７．ハーネスの配索構造について＞
続いて、トナー側ハーネス１０５の配索構造について、図７および図８を参照しつつ説明する。図７は、第１側板１２１、トナー用コネクタ１０３、およびトナー側ハーネス１０５の平面図である。図８は、トナーカートリッジ２が装着されたドラムカートリッジ１の部分断面図である。なお、図８は、後述する第２隔離板５２Ｂを通る断面における断面図である。
【００９２】
図７および図８に示すように、第１側板１２１は、溝５１を有する。溝５１は、第１側板１２１の内表面に設けられる。溝５１は、第１方向において、第１側板１２１の内表面から第１側板１２１の外表面に向けて凹む。溝５１の内部空間は、トナー側ハーネス１０５が収容されるハーネス収容空間５０となっている。すなわち、溝５１は、ハーネス収容空間５０を含む。溝５１およびハーネス収容空間５０は、第２方向に延びる。ハーネス収容空間５０内に収容されたトナー側ハーネス１０５が、ハーネス収容空間５０の外の部材と干渉しない。
【００９３】
また、第１側板１２１は、第３方向に延びる隔離板５２を有する。隔離板５２は、第１方向において、トナー側ハーネス１０５と第２側板１２２との間に位置する。より具体的には、トナーカートリッジ２がドラムカートリッジ１のフレーム１２に装着された状態において、隔離板５２は、第１方向において、トナーカートリッジ２とトナー側ハーネス１０５との間に位置する。
【００９４】
このように、トナーカートリッジ２がドラムカートリッジ１のフレーム１２に装着された状態において、隔離板５２が、第１方向において、トナーカートリッジ２とトナー側ハーネス１０５との間に位置することにより、トナーカートリッジ２がドラムカートリッジ１のフレーム１２に装着されるときに、トナー側ハーネス１０５がトナーカートリッジ２に接触するのが抑制される。したがって、ドラムカートリッジ１に対するトナーカートリッジ２の装着およびドラムカートリッジ１からのトナーカートリッジ２の取り出しを、容易に行うことができる。
【００９５】
隔離板５２は、溝５１の縁部から第３方向に延びる。隔離板５２は、第３方向において、第１側板１２１の一端部から第１側板１２１の他端部に向けて延びる。第３方向における溝５１の長さは、第３方向における隔離板５２の長さよりも長い。このため、隔離板５２の第３方向の他端部と、溝５１の第３方向の他端部との間には間隙がある。
【００９６】
図７および図８に示すように、第１側板１２１は、ガイド面５３を有する。ガイド面５３は、隔離板５２の第３方向の一端部に位置する。すなわち、ガイド面５３は、第３方向において、隔離板５２に対して感光体ドラム１１の反対側に位置する。ガイド面５３は、トナーカートリッジ２がドラムカートリッジ１のフレーム１２に装着されるときに、トナーカートリッジ２をガイドする。ガイド面５３は、第３方向において第１側板１２１の一端部から第１側板１２１の他端部に向けて、第２側板１２２に近づくように傾斜する。
【００９７】
本実施形態では、第１側板１２１は、４つの隔離板５２を有する。各隔離板５２は、各トナー用コネクタ１０３の第２方向の一方側に位置する。
【００９８】
第１側板１２１は、第３方向に延びる４つの分岐溝５１１を有する。各トナー側ハーネス１０５の一部は、分岐溝５１１の内部空間に位置する。ここで、４つの分岐溝５１１を、第２方向の一方側から他方側へ向かって順に、第１分岐溝５１１Ａ、第２分岐溝５１１Ｂ、第３分岐溝５１１Ｃ、および第４分岐溝５１１Ｄと称する。
【００９９】
また、第１側板１２１の４つの隔離板５２を、第２方向の一方側から他方側へ向かって順に、第１隔離板５２Ａ、第２隔離板５２Ｂ、第３隔離板５２Ｃ、および第４隔離板５２Ｄと称する。第２隔離板５２Ｂは、第２方向において、第１分岐溝５１１Ａおよび第２分岐溝５１１Ｂの間に位置する。第３隔離板５２Ｃは、第２方向において、第２分岐溝５１１Ｂおよび第３分岐溝５１１Ｃの間に位置する。第４隔離板５２Ｄは、第２方向において、第３分岐溝５１１Ｃおよび第４分岐溝５１１Ｄの間に位置する。
【０１００】
トナー用コネクタ１０３から延びるトナー側ハーネス１０５は、各分岐溝５１１の内部に位置する。各トナー側ハーネス１０５は、第３方向に延びるとともに、第２方向に延びる。
【０１０１】
第４ハーネス１０５Ｄは、第４分岐溝５１１Ｄ内および溝５１内に位置する。第３ハーネス１０５Ｃは、第３分岐溝５１１Ｃ内および溝５１内に位置する。第３ハーネス１０５Ｃのうち、溝５１の内部に配置される部分は、第４ハーネス１０５Ｄとともに、第２カバー１０６Ｂにより覆われている。すなわち、第３ハーネス１０５Ｃおよび第４ハーネス１０５Ｄは、第２カバー１０６Ｂに覆われた状態で、ハーネス収容空間５０に収容される。
【０１０２】
第２ハーネス１０５Ｂは、第２分岐溝５１１Ｂ内および溝５１内に位置する。第１ハーネス１０５Ａは、第１分岐溝５１１Ａ内および溝５１内に位置する。第１ハーネス１０５Ａのうち、溝５１の内部に配置されている部分は、第２ハーネス１０５Ｂとともに、第１カバー１０６Ａにより覆われている。すなわち、第１ハーネス１０５Ａおよび第２ハーネス１０５Ｂは、第１カバー１０６Ａに覆われた状態で、ハーネス収容空間５０に収容される。
【０１０３】
このように、ハーネス収容空間５０は、トナー側ハーネス１０５を収容する。
【０１０４】
ハーネス収容空間５０は、第４ハーネス１０５Ｄのみを収容する第１空間を有する。第１空間は、第２方向における第１側板１２１の他端部に位置する。また、ハーネス収容空間５０は、第２カバー１０６Ｂで覆われた第３ハーネス１０５Ｃおよび第４ハーネス１０５Ｄを収容する第２空間を有する。第２空間は、第２方向において第２隔離板５３Ｂおよび第３隔離板５３Ｃの間に位置する。また、ハーネス収容空間５０は、第２ハーネス１０５Ｂと、第２カバー１０６Ｂで覆われた第３ハーネス１０５Ｃおよび第４ハーネス１０５Ｄとを、収容する第３空間を有する。第３空間は、第２方向において第１隔離板５３Ａおよび第２隔離板５３Ｂの間に位置する。さらに、ハーネス収容空間５０は、第１カバー１０６Ａで覆われた第１ハーネス１０５Ａおよび第２ハーネス１０５Ｂと、第２カバー１０６Ｂで覆われた第３ハーネス１０５Ｃおよび第４ハーネス１０５Ｄを収容する第４空間を有する。第４空間は、第２方向における第１側板１２１の一端部に位置する。
【０１０５】
このように、隔離板５２は、ハーネス収容空間５０とハーネス収容空間５０外の空間とを仕切る。そのため、ハーネス収容空間５０内に収容されたトナー側ハーネス１０５が、ハーネス収容空間５０外の部材と干渉するのが、より抑制される。
【０１０６】
＜２．変形例＞
以上、本発明の一実施形態について説明したが、本発明は上記の実施形態に限定されるものではない。
【０１０７】
上記の各実施形態における構造、回路構成、および処理手順は、あくまで例示である。上記の各実施形態に登場した種々の要素を、本発明の趣旨を逸脱しない範囲で、他の公知の要素に置き換えてもよい。また、上記の各実施形態に登場した種々の要素を、矛盾が生じない範囲で、適宜に組み合わせてもよい。
【符号の説明】
【０１０８】
１  ドラムカートリッジ
２  トナーカートリッジ
３  本体部
９  画像形成装置
１０  ドラム回路基板
１１  感光体ドラム
１２  フレーム
２０  トナー回路基板
２２  現像ローラ
３０  制御部
５０  ハーネス収容空間
５１  溝
５２  隔離板
５３  ガイド面
１０１  ドラムメモリ
１０２  本体用コネクタ
１０３  トナー用コネクタ
１０４  本体側ハーネス
１０５  トナー側ハーネス
１０５Ａ  第１ハーネス
１０５Ｂ  第２ハーネス
１０５Ｃ  第３ハーネス
１０５Ｄ  第４ハーネス
１０６Ａ  第１カバー
１０６Ｂ  第２カバー
１２０    トナーカートリッジホルダ
１２１    第１側板
１２２    第２側板
１２３    第１接続板
１２４    第２接続板
２０１    トナーメモリ
【図１】
2020052339.tif 000003
【図２】
2020052339.tif 000004
【図３】
2020052339.tif 000005
【図４】
2020052339.tif 000006
【図５】
2020052339.tif 000007
【図６】
2020052339.tif 000008
【図７】
2020052339.tif 000009
【図８】
2020052339.tif 000010